(57)【要約】【課題】  使用者の必要に合わせてマッサージ器が人体へのマッサージ面積及びマッサージの力を変化させることができるようにしたウエスト引き締めマッサージ装置を提供する。【解決手段】  本体骨１一つ、背骨２一つ、少なくとも弾力パーツ３或いは弾力パーツ４を一つ、マッサージ器４一つを含み、その本体骨１は乗り部位１１、接合部２１を備えると共に、背骨２は本体骨１と連接して接合部を備え、上方に組み合わせ部位２２を設置する。また、弾力パーツの両側をそれぞれ本体骨１、背骨２の接合部位と接合してあり、背骨２は弾力パーツ３を引き伸ばすことができると共にその弾力性によって元位置に復帰できるようにし、マッサージ器４は少なくとも第一マッサージ部４３、第二マッサージ部４４をそれぞれ背骨２の両側の違う角度位置に対応して設置している。【選択図】  図１
0003145616.tif 000002
【実用新案登録請求の範囲】
【請求項１】
本体骨一つ、乗り部位、接合部位を備え、背骨一つが本体骨と連接する接合部位の上方に組み合せ部位を設置し、少なくとも弾力パーツ一つをそれぞれ本体骨と背骨の接合部位と接合し、その背骨は本体骨に対して回転し後ろへ仰ぐ場合に弾力パーツを引き伸ばせるようにすると共に、弾力パーツの弾力性動作は回復するようにし、マッサージ器一つを背骨上方の組み合せ部位と接合し、少なくとも第一マッサージ部、第二マッサージ部を備え、それぞれ背骨に対応する違う角度位置に設置し、人体背中においてその第一マッサージ部、第二マッサージ部はそれぞれ違う張り付く面積を有し、しかもその第一マッサージ部、第二マッサージ部が人体背中との張り付きを調整できることを特徴とするウエスト引き締めマッサージ装置。
【請求項２】
前記背骨の組み合せ部位は嵌め穴、定位穴を備え、前記マッサージ器にも接合柱、接合棚を設け、その接合柱に定位穴を数個設置して背骨の組み合せ部位と接合して、嵌め穴を挿して高さを調整でき、更に定位パーツによって接合柱、組み合せ部の定位穴を繋げ、組み合わせの高さ位置を定位し、その接合骨と接合柱を組み合せて第一マッサージ部、第二マッサージ部はそれぞれ接合棚の両側に設置すると共に、背骨両側の違う角度に対応することを特徴とする請求項１記載のウエスト引き締めマッサージ装置。
【請求項３】
前記接合棚の両側にはそれぞれ挿し穴を設置し、前記第一マッサージ部、前記第二マッサージ部にはそれぞれ違う数量の輪体を持ち、その輪体はそれぞれ接合レバーに並べてあり、その接合レバーはそれぞれ接合棚両側の挿し穴に挿し、接合棚と組み合わせることを特徴とする請求項１記載のウエスト引き締めマッサージ装置。
【考案の詳細な説明】
【技術分野】
【０００１】
本考案はウエスト引き締めマッサージ装置に関し、主に一種の使用者の必要に合わせてマッサージ器が人体へのマッサージ面積及びマッサージの力を変化させることのできるマッサージ器に関するものである。
【背景技術】
【０００２】
従来から、腹筋運動は人体のウエストを引きしめるのにとても有効的な運動の一つと言われている。そして、人体が腹筋運動をする時の便利性を向上するため、現在では人体に腹筋運動をさせる装置があり、最近では、その使い心地を向上するため、今の腹筋運動装置には更に腹筋運動をすると同時に背中をマッサージできる効果のある設計を持つものがある。
【０００３】
従来の構造の一つとして、例えば、図９、１０に示してあるように、主には一つの本体骨１’、一つの背骨２’、弾力パーツ３’、一つのマッサージ器４’を含めてこれらを組み合わせ、そして、その本体骨１’は中央上方に乗り部位１１’を設置し、また後方に接合部１２’を設置して、弾力パーツ３’の片方に接合するようにしてある。
【０００４】
また背骨２’は、本体骨１’に連接し、そしてその下方に接合部２１’を設置し弾力パーツ３’のもう片方に接合する。
【０００５】
また、マッサージ器４’は背骨２’の上方に設置してあり、よって人体が本体骨１’の乗り部位１１’に乗る時背中が背骨２’上方のマッサージ器４’に寄りかかることができるようになる。
【０００６】
そして背中は後ろに寄りかかる時背骨２’を連れて本体骨１’に対応して下向きのように移転することになる。そして同時に弾力パーツ３’を引き伸ばして、よって弾力パーツ３’は背骨２’が上に移動する時に弾力が回復できるようにしている。しかも、そのマッサージ器４’は人体背中に沿って位置を移動することができ、そして弾力パーツ３’の弾力で背中をマッサージするようになり、よってマッサージ効果を持つことになる。
【考案の開示】
【考案が解決しようとする課題】
【０００７】
前述したマッサージ器４’は四つの輪体から組み合わせたものであり、ただ使う人の好みによってマッサージ力及びマッサージする位置が違ってくるのであるが、そのマッサージ器４’の四つの輪体は人体背中の密着する面積は固定してあり、よってマッサージ位置及びマッサージ力を変化できないといった欠点を生じさせていた。
【０００８】
そこで、本考案の目的は、一種の使用者の必要に合わせてマッサージ器が人体へのマッサージ面積及びマッサージの力を変化させることができるようにしたウエスト引き締めマッサージ装置を提供することである。
【課題を解決するための手段】
【０００９】
すなわち、本体骨一つ、背骨一つ、少なくとも弾力パーツ一つ、マッサージ器一つを含み、その本体骨は中央上方に乗り部位を設置し、後方に接合部を設置し、乗り部位の両側に手すりを設置し、また背骨は本体骨と連接し、そしてその下方に接合部を設置し、上方に組み合わせ部位を設置し、そしてその組み合わせ部位には嵌り穴、定位穴を持つ。
【００１０】
また、弾力パーツの両側にはそれぞれ本体骨、背骨の接合部位と接合してあり、背骨は本体骨に対応して後ろ向きの動作をした時に弾力を回復させるようにしている。
【００１１】
また、マッサージ器には接合柱、接合棚、第一マッサージ部、第二マッサージ部を持ち、その接合柱には定位穴を数個設置して、前述した背骨の組み合せ部位と接合することができ、嵌め穴に挿し高さを調節することができる。
【００１２】
更に、定位パーツによって接合柱、組み合せ部位の定位穴を繋げ、組み合せの高さを定位する。
【００１３】
また、接合棚は接合柱とは垂直方向での接合になっており、両側にはそれぞれ挿し穴を設置する。
【００１４】
また、第一マッサージ部、第二マッサージ部にはそれぞれ違った数量の輪体を持ち、その輪体はそれぞれ接合レバーに並べて設置してあり、その接合レバーはそれぞれ接合棚の挿し穴に挿して、第一マッサージ部、第二マッサージ部はそれぞれ背骨の両側の違う角度位置に対応し、人体が乗る時、体が寄りかかる部位は第一マッサージ部、第二マッサージ部のみであり、本体骨の乗り部位に乗る人体は背骨の仰向き動作によって第一マッサージ部或いは第二マッサージ部の輪体が人体の背中に対応して位置を移動する。
【００１５】
そして、第一マッサージ部或いは第二マッサージ部は弾力パーツの弾力性より人体背中にマッサージ力を付与し、マッサージ効果をもたらすことになる。
【考案の効果】
【００１６】
これによれば、本考案は使用者の必要に応じて第一マッサージ部或いは第二マッサージ部が人体背中をマッサージする時のマッサージ面積及び力を調整することができる、より良い適用性を持つことになる。
【考案を実施するための最良の形態】
【００１７】
図１に示すように、本考案の第一実施例は本体骨１一つ、背骨２一つ、弾力パーツ３二つ、弾力パーツ４一つ、そして本体骨１は中央上方に乗り部位１１を設置すると共に、後方接合部１２を設置し、また乗り部位１２の両側に手すり１３を設置する。
【００１８】
背骨２は本体骨１と連接し、下方に接合部２１を設置する。また上方に組み合せ部位２２を設置すると共に、部位２は嵌め穴２２１、定位穴２２２を持つ。
【００１９】
弾力パーツ３二つの両側は、それぞれ本体骨１、背骨２の接合部位と接合する。そして背骨２は本体骨１に対応し後ろ向きに回転して作動した時に弾力を回復するようにしている（図３に示したように）。
【００２０】
マッサージ器４は、接合柱４１、接合棚４２、第一マッサージ部４３、第二マッサージ部４４を持ち、その接合柱４１に定位穴４１１を数個設置して、前述した背骨２の組み合せ部位２２と接合することで、前述した嵌め穴２２１に挿して高さを調節することができる。
【００２１】
更に、定位パーツ４１２により接合柱４１、組み合せ部位２２の定位穴４１１、２２２を繋げ、組み合せ高さを定位する。
【００２２】
また、接合棚４２は接合柱４１に固定して設置し、その接合棚４２は接合柱４１と組み合わせて連接している。その両側にはそれぞれ挿し穴４２１、４２２を設置する。
【００２３】
また、第一マッサージ部４３、第二マッサージ部４４はそれぞれ違った数量の輪体４３１、４４１を持ち、図面に示してある第一マッサージ部４３は輪体４３１を八つ持っている。よって全面式なマッサージ効果をもたらす。
【００２４】
そして、第二マッサージ部４４は輪体４４１を二つ持ち、ポイント式なマッサージ効果をもたらすことになる。その輪体４３１、４４１はそれぞれ接合レバー４３２に並べ設置されてあり、その接合レバー４３２、４４２はそれぞれ接合棚の挿し穴４２１、４２２に挿してある。
【００２５】
よって、第一マッサージ部４３、第二マッサージ部４４はそれぞれ接合棚４２の両側及び背骨２の両側の違う角度に対応した位置に設置することができる。
【００２６】
そして、人体が本体骨１の乗り部位１１に乗る時は第一マッサージ部４３、第二マッサージ部４４のみ人体の背中と寄りかかり、よってそれぞれ全面式或いはポイント式なマッサージをすることができ、本体骨１の乗り部位１１に乗る人体は背骨２の仰向き動作によって第一マッサージ部４３或いは第二マッサージ部４４の輪体４３１、４４１が人体の背中に対応して位置を移動し、第一マッサージ部４３或いは第二マッサージ部４４は弾力パーツ３の弾力性より人体背中にマッサージ力を付与し、マッサージ効果をもたらすことになる。
【００２７】
図２〜４に示すように、本考案はマッサージ器４の接合柱４１の挿し方向を調整して、第一マッサージ部４３の組み合せ角度を設定する。そして、図面に示したように第一マッサージ部４３は背骨２の前に位置してあり、人体の背中と寄りかかることができる。
【００２８】
そして図４で示した背骨２は本体骨１に対応して回転展開する時に第一マッサージ部４３と背中が寄りかかりマッサージ状態になる。よって第一マッサージ部４３は第二マッサージ部４４より輪体４３１の組み合せ数量が多くなり、第一マッサージ部４３はより多い輪体４３１によって人体背中に寄りかかり、マッサージの面積が増加する。
【００２９】
このように、より多い輪体４３１が人体背中に力の作用を平均してもたらしたため、背中に数多くのマッサージポイントを持つことになり、輪体４３１ごとが人体背中に対するマッサージ力が少ないため、背中にマッサージポイントが多く、マッサージポイントごとにマッサージ力がより小さく感じることになる。
【００３０】
図５、６に示すように、本考案はマッサージ器４の接合柱４１の挿す方向を調整することができ、第二マッサージ部４４は人体の背中と寄りかかることになる。そして図６に示したように、背骨２は本体骨１に対応して回転展開する時、背中は寄りかかり、マッサージ状態になる。
【００３１】
そして、その第二マッサージ部４４は輪体４４１を二つ持ち、それぞれ人体背中の脊髄（図面の点線ａのように）両側に対応した位置に設置する。よって、人体が第二マッサージ部４４に寄りかかり背骨２を仰向いた動作にさせた時は輪体４４１二つを脊髄両側に沿ってマッサージさせるようになる。
【００３２】
そして、弾力パーツ３の弾力は第二マッサージ部４４に力を与え、輪体４４１二つは人体背中に作用して、二つのポイント式マッサージをさせることになる。よって、輪体４４１ごと人体背中に対する力の強さは第一マッサージ部４３の輪体４３１より大きく、そして第一マッサージ部４３と違ったポイント式マッサージ効果を提供することができる。しかも背中のポイントマッサージ及びマッサージポイントごとより強いマッサージ感覚を持つようになる。よって本考案は使用者の必要によってマッサージの面積及び力を変化することができ、より良い適用性を持つことになる。
【００３３】
本考案は人体が両手で手すり１３を握る時、後ろに倒した動作をする場合、両手は体の重量を支えて腰が負担する力を軽くする。同時に胃は自然的に収縮し、背中はマッサージ器４にマッサージしてもらい、運動マッサージの効果を持つようになる。
【００３４】
本考案のマッサージ器は背骨の上方にも設置することができる。そして背骨に対応し回転して第一マッサージ部或いは第二マッサージ部を背骨前の位置にさせる。
【００３５】
また本考案は一つや二つ以上の弾力パーツによって背骨、本体骨の接合をしたものである。
【００３６】
その外、本考案のマッサージ器は前述した実例と数量の違う輪体或いはその他のマッサージパーツを設置することができる。
【００３７】
図７に示すように、本考案の第二実施例は本体骨５、背骨６弾力パーツ７、マッサージ器８を持ち、その本体骨５は前述第一実施例と違った形の手すり５１を持ち、マッサージ器８は第一マッサージ部８１、第二マッサージ部８２を持ち、その第二マッサージ部８２には輪体を一つのみ持ち、人体脊髄片方の位置をマッサージするようにしている。そして、第二実施例は第一実施例と同じような効果をも持ち、また図８に示すように、本考案の第三実施例は他のマッサージ器９を採用することができ、そのマッサージ器９は第一マッサージ部９１或いは第二マッサージ部９２から人体をマッサージするように調節することができる。よって本考案が要求する効果を持つようになる。
【００３８】
そして前述した各実施例は単に本考案の例示とし、本考案を制限するためではなく、本考案は本考案の精神に変更及び修正をすることができる。
【図面の簡単な説明】
【００３９】
【図１】本考案のマッサージ器と背骨の分解状態を示す第一実施例の立体構造図。
【図２】本考案の第一マッサージ部が背骨の前方に位置する状態を示す第一実施例の立体組み合わせ図。
【図３】本考案の背骨を仰向いた動作を示した第一実施例を示す説明図である。
【図４】本考案の後ろから見た背骨を展開して第一マッサージ部から人体をマッサージする背骨を示した第一実施例を示す説明図である。
【図５】本考案の第一実施例のもう一つの組み合わせを示した図であり、第二マッサージ部が背骨の前方に位置する状態を示した斜視図である。
【図６】本考案の後ろから見た背骨を展開してマッサージ部から人体をマッサージする背骨を示した第一実施例を示す説明図である。
【図７】本考案のマッサージ器と背骨の分解状態を示す第二実施例を示す立体構造図、。
【図８】本考案の第三実施例を示す立体構造図である。
【図９】従来の腹筋運動マッサージ器を示した図である。
【図１０】従来の腹筋運動マッサージ器の動作を示した図である。
【符号の説明】
【００４０】
１  本体骨
１１  乗り部位
１２  接合部
１３  手すり
２  背骨
２１  接合部
２２  組み合わせ部位
２２１  嵌め穴
２２２  定位穴
３  弾力パーツ
４  マッサージ器
４１  接合柱
４１１  定位穴
４１２  定位パーツ
４２  接合棚
４２１  挿し穴
４２２  插穴
４３  第一マッサージ部
４３１  輪体
４３２  接合レバー
４４  第二マッサージ部
４４１  輪体
４４２  接合レバー
５  本体骨
５１  手すり
６  背骨
７  弾力パーツ
８  マッサージ器
８１  第一マッサージ部
８２  第二マッサージ部
９  マッサージ器
９１  第一マッサージ部
９２  第二マッサージ部
【図１】
0003145616.tif 000003
【図２】
0003145616.tif 000004
【図３】
0003145616.tif 000005
【図４】
0003145616.tif 000006
【図５】
0003145616.tif 000007
【図６】
0003145616.tif 000008
【図７】
0003145616.tif 000009
【図８】
0003145616.tif 000010
【図９】
0003145616.tif 000011
【図１０】
0003145616.tif 000012